(57)【要約】【課題】遊技機枠の内部から遊技機枠の前側の球皿構造体に排出される球に帯電した静電気を除去する通路の構造の容易化を図る。【解決手段】遊技機枠７１の内部から遊技機枠７１の前側に設けられた球皿構造体８２に排出されるように球Ｐ１を誘導するとともに当該球Ｐ１に帯電した静電気を除去する通路を形成する前横樋１０６が、枠側樋１７１と蓋樋１７２と縦金属板１７３と横金属板１７４とから構成されており、球Ｐ１に帯電した静電気は、縦金属板１７３と電気継手１７５および遊技設置構造体のアース端子に接続された導電性合成樹脂製の通路形成補助体１６０を経由して大地に除去される。【選択図】図１
2005245799.tif 000002
【特許請求の範囲】
【請求項１】
遊技主体収納構造体が遊技主体を収納する遊技主体収納室と遊技主体収納室よりも下部に位置する遊技主体棚と遊技機枠の内部から遊技主体収納構造体の前側に設けられた球皿構造体に排出されるように球を誘導するとともに当該球に帯電した静電気を除去する通路を形成する前横樋とを備えた遊技機枠において、前横樋が遊技主体収納構造体に設けられた枠側樋と、枠側樋を前側から塞ぐように遊技主体収納構造体に取り付けられる蓋樋と、枠側樋と蓋樋とからなる内部における球受取部の裏壁に取り付けられる縦金属板と、枠側樋と蓋樋とからなる内部における球受取部の底壁に取り付けられる横金属板とから構成されたことを特徴とする遊技機枠。
【請求項２】
縦金属板と横金属板とが互いに個別に構成されたことを特徴とする請求項１記載の遊技機枠。
【請求項３】
球受取部が遊技主体収納構造体における遊技主体棚より下方の前壁から裏側に突出した部分に上下方向に貫通する電気継手挿入孔を備え、電気継手挿入孔を介して球受取部に取り付けられ電気継手に縦金属板と遊技主体棚の裏面に取り付けられる導電性合成樹脂からなる通路形成補助体とが接続したことを特徴とする請求項１記載の遊技機枠。
【発明の詳細な説明】
【技術分野】
【０００１】
本発明は、パチンコ球と呼ばれる球を遊技媒体として使用するパチンコ機やスロットマシンなどの遊技機における遊技機枠の内部から遊技機枠の前側の球皿構造体に排出される球に帯電した静電気を除去する通路の構造が容易な遊技機枠に関する。
【背景技術】
【０００２】
遊技機の遊技機枠は、遊技機枠の遊技主体収納室に格納された遊技盤から遊技機の設置される島と呼ばれる遊技設置構造体に球を排出する導電性合成樹脂製の裏側通路構造体が金属製の板ばねを有するとともに配線で設置されており、遊技機枠の内部から遊技機枠の前側の皿構造体に球を排出する導電性合成樹脂製の上方に開口された箱形になった前側通路構造体が遊技機枠の前側から遊技盤を格納する遊技主体収納室よりも下部に形成された前側に開口した凹部に挿入された後、遊技機枠のロック機構が前側通路構造体を遊技機枠に固定し、前側通路構造体が板ばねの前面と接触することによって、前側通路構造体が板ばねを介して裏側通路構造体に接続されている一方、上記板ばねの裏面が遊技機枠にタンクと中継樋と払出機構と払出制御装置および発射制御装置などの裏部品を取り付けるための導電性合成樹脂製の裏セットに接続されており、遊技機枠の内部から遊技機枠の前側の皿構造体に排出される球に帯電した静電気を前側通路構造体から板ばねと裏側通路構造体と裏セットと裏セットに接続されたアース線およびアース線の接続された遊技設置構造体のアース端子を経由して大地に除去する構造である。しかしながら、遊技機枠の凹部に挿入された箱形の前側通路構造体が板ばねで前側に押され、前側通路構造体から下方に延びた取付片がロック機構で遊技機枠に固定される構造であるので、遊技機枠の内部から遊技機枠の前側の皿構造体に球を排出する通路を形成する構造が複雑であるという欠点がある。
【特許文献１】特開２００３−３０５２４９号公報
【発明の開示】
【発明が解決しようとする課題】
【０００３】
発明が解決しようとする問題点は、遊技機枠の内部から遊技機枠の前側の皿構造体に球を排出する通路を形成する構造が複雑であるという点である。
【課題を解決するための手段】
【０００４】
本発明に係る遊技機の遊技機枠は、遊技主体収納構造体が遊技主体を収納する遊技主体収納室と遊技主体収納室よりも下部に位置する遊技主体棚と遊技機枠の内部から遊技主体収納構造体の前側に設けられた球皿構造体に排出されるように球を誘導するとともに当該球に帯電した静電気を除去する通路を形成する前横樋とを備えた遊技機枠において、前横樋が遊技主体収納構造体に設けられた枠側樋と、枠側樋を前側から塞ぐように遊技主体収納構造体に取り付けられる蓋樋と、枠側樋と蓋樋とかなる内部における球受取部の裏壁に取り付けられる縦金属板と、枠側樋と蓋樋とかなる内部における球受取部の底壁に取り付けられる横金属板とから構成されたことを最も主要な特徴とする。縦金属板と横金属板とが互いに個別に構成されたり、球受取部が遊技主体収納構造体における遊技主体棚より下方の前壁から裏側に突出した部分に上下方向に貫通する電気継手挿入孔を備え、電気継手挿入孔を介して球受取部に取り付けられ電気継手に縦金属板と遊技主体棚の裏面に取り付けられる導電性合成樹脂からなる通路形成補助体とが接続したりすることも特徴とする。
【発明の効果】
【０００５】
本発明に係る遊技機の遊技機枠は、遊技機枠の内部から遊技機枠の前側に設けられた球皿構造体に排出されるように球を誘導するとともに当該球に帯電した静電気を除去する通路を形成する前横樋が、枠側樋と蓋樋と縦金属板と横金属板とから構成された簡単な構造であるという利点がある。縦金属板と横金属板とが互いに個別に構成されて上記球に帯電した静電気を除去する部材を形成していれば、例えば、パチンコ店のような遊技店において、前横樋の内部に侵入した異物を取り除くような保守を行う場合、店員が、蓋樋および横金属板を枠側樋から前側に取り外して、異物を前横樋の内部から取り除いた後、横金属板および蓋樋を枠側樋に前側から取り付ければよいので、前横樋の内部の保守を容易に行うことができるという利点がある。縦板金属板と導電性合成樹脂製の通路形成補助体とが互いに電気継手で接続されれば、通路形成補助体を遊技設置構造体のアース端子に接続されることによって、上記球に帯電した静電気は、縦金属板から電気継手と通路形成補助体およびアース線を経由して大地に除去されるという利点がある。
【発明を実施するための最良の形態】
【０００６】
図１−図８は、一実施形態である。図１は、映写装置１と遊技機枠７１と遊技盤１１０との取付構造の縦断面を示す。図２は、遊技機枠７１および遊技盤１１０の前側からの外観を示す。図３は、可動枠７５の裏側からの外観を示す。図４は、可動枠７５の内部から遊技機枠の前側に球を排出する通路を形成する構造の前側からの外観を示す。図５のａ図は、電気継手１７５の前側からの外観を示す。図５のｂ図は、電気継手１７５の裏側からの外観を示す。図６は、可動枠７５の内部から遊技機枠の前側に球を排出する通路を形成する構造における縦金属板１７３と電気継手１７５との接続された構造の横方向に切断した断面を示す。図７は、映写装置１の前側からの外観を示す。図８は、映写装置１と遊技機枠７１との裏側からの外観を示す。図９は、映写装置１の取り付けられた遊技機枠７１に遊技盤１１０を取り付ける場合の前側からの外観を示す。この明細書において、左右は、遊技機枠７１を前側から見た場合を基準として使用する。
【０００７】
図２を参照し、遊技機としてのパチンコ機における遊技機枠７１の前側の構造および遊技盤１１０の前側の構造について説明する。遊技機枠７１は、遊技店の島と呼ばれる図外の遊技設置構造体に取り付けるための外枠と呼ばれるような金属製の固定枠７２を備える。固定枠７２は、前後方向に開放された縦長な長方形の空間を囲む額縁形状である。固定枠７２の下部前面に設けられた幕板部７３には、図外の低音用のスピーカーの低音を幕板部７３の裏側から前側に放出する放音孔部７４が、左右に設けられる。放音孔部７４の裏面には、低音用のスピーカーが、個別に取り付けられる。固定枠７２には、前枠または中枠と呼ばれるような可動枠７５が、左側の金属製のヒンジ７６で前側横方向に片開き可能にかつ着脱可能（交換可能）に取り付けられる。可動枠７５は、前後方向に開放された縦長な長方形の空間を囲む額縁形状の電気絶縁材である合成樹脂からなる可動枠本体７７と、可動枠本体７７から内部に延設された電気絶縁材である合成樹脂からなる遊技主体収納構造体７８とを備える。可動枠本体７７および遊技主体収納構造体７８は、成形型を用いて単一物として形成される。可動枠７５が、閉じられた場合、図外の金属製のロック機構によって、開閉不能に固定枠７２に支持される。可動枠本体７７には、パネル枠８１および球皿構造体８２が、左側に設けられる図外のヒンジで前側横方向に片開き可能に取り付けられる。パネル枠８１は、前後方向に開放された窓８３を囲む額縁形状である。パネル枠８１の裏面には、ガラスまたは合成樹脂からなる光透過性を有する前面パネル８４が、窓８３を覆う格好で取り付けられる。パネル枠８１の裏面上部には、図外の中・高音用のスピーカーが、左右に取り付けられる。このスピーカーの設けられるパネル枠８１の部分には、中・高音用のスピーカーの中・高音をパネル枠８１の裏側から前側に放出する図外の放音孔部が、設けられる。
【０００８】
パネル枠８１が、閉じられた場合、金属製のロック機構８８によって、可動枠本体７７に、開閉不能に支持される。球皿構造体８２が、閉じられた場合、金属製のロック機構９４によって、可動枠本体７７に、開閉不能に支持される。可動枠７５が、閉じられた場合、図外のロック機構によって、固定枠７２に、開閉不能に支持される。可動枠本体７７の右縦片には、施錠装置８６とロック機構８８；９４および図外のロック機構が、設けられる。可動枠７５やパネル枠８１および球皿構造体８２が、閉じられ、図外のロック機構やロック機構８８；９４で開閉不能に支持された状態において、遊技店の店員が、図外のキープレート（鍵）を遊技機枠７１の前側から施錠装置８６の鍵穴８７に挿入し、当該キープレートを例えば右側に９０度回転操作すると、固定枠７２と可動枠７５との図外のロック機構による支持形態が解除される。この支持形態の解除後に、店員が、可動枠７５を前側に引くことによって、可動枠７５は、ヒンジ７６を開閉中心として前側に片開きされる。また、上記施錠装置８６の鍵穴８７に挿入されたキープレートが、例えば左側に９０度回転操作されると、可動枠７５とパネル枠８１とのロック機構８８による支持形態が解除される。この支持形態の解除後に、店員が、パネル枠８１を前側に引くことによって、パネル枠８１は、図外のヒンジを開閉中心として前側に片開きされる。このように、パネル枠８１が、前側に開かれた状態において、店員が、可動枠７５の前面のロック解除操作体８９を操作すると、可動枠７５と球皿構造体８２とのロック機構９４による支持形態が解除される。この支持形態の解除後に、店員が、球皿構造体８２を前側に引くことによって、球皿構造体８２は、図外のヒンジを開閉中心として前側に片開きされる。球皿構造体８２の前面には、球収納部９０と発射操作機構９１とを備える。球収納部９０は、遊技に使用する球を受ける上方に開放された形態である。球皿構造体８２の裏面には、球を球収納部９０に供給する球取入口９２と、球収納部９０から発射機構１０３に球を供給する球供給口９３とを備える。
【０００９】
遊技主体収納構造体７８は、前側に開放された遊技主体収納室９５と、遊技主体収納室９５の後壁に形成された前後方向に貫通する中央開口部９６とを備える。遊技主体収納室９５の左側部には、遊技盤１１０を裏側から前側に押圧する板ばねにより構成された遊技主体押圧部９７と、遊技主体押圧部９７で前側に押された遊技盤１１０を前側から受け止める遊技主体受部９８とを備える。遊技主体収納室９５の右側部には、遊技主体ロック部材９９を備える。遊技主体ロック部材９９は、遊技主体収納構造体７８から前側に突出する台座の中心にロック操作部１００を回転可能に備える。ロック操作部１００は、台座から前側に突出した操作軸の端部に固定された横長な形態である。
【００１０】
遊技主体収納構造体７８における遊技主体収納室９５よりも下部における前面には、遊技主体棚１０１を備える。遊技主体棚１０１には、切欠部１０２が、遊技機枠７１に取り付けられる遊技盤１１０の集合樋１３９における図１に示す排出口１４０の真下の位置に、遊技主体棚１０１の裏側から前側に窪む形態に設けられる。切欠部１０２には、図３に示す通路形成補助体１６０の突片１６２が嵌め込まれる。遊技主体棚１０１の前縁から下方に延設された前壁１０９の前面には、発射機構１０３、発射レール１０４、ファール球取入口部１０５、前横樋１０６を備える。発射レール１０４は、球皿構造体８２の球供給口９３から供給された１個の球を受け取る。発射機構１０３は、電力供給と遮断とを交互に受けることによって、球収納部９０から発射レール１０４に供給された１個の球を遊技盤１１０の遊技領域１１２に向けて発射する。発射レール１０４は、発射機構１０３から発射された球を、遊技盤１１０における発射通路１１５の入口に誘導する。ファール球取入口部１０５は、遊技盤１１０の発射通路１１５から落下する球を取り込む。ファール球取入口部１０５に取り込まれた球は、前横樋１０６を経由して球取入口９２に排出される。前横樋１０６は、可動枠７５の裏部に取り付けられた払出機構１０７から払い出された球とファール球取入口部１０５から排出された球とを、遊技機枠７１の内部から排出される球として、遊技機枠７１の前側の球皿構造体８２に排出するための球取入口９２に誘導するとともに当該球に帯電した静電気を除去する通路を形成する。
【００１１】
遊技機枠７１に交換可能に取り付けられる遊技主体としての遊技盤１１０の前側の構造について説明する。遊技盤１１０は、非遊技領域を形成する遮光性合成樹脂からなる周辺飾り構造体１１１と、周辺飾り構造体１１１で囲まれた内側の遊技領域１１２を形成する光透過性合成樹脂からなる板状構造体１１３とを備える。周辺飾り構造体１１１は、遊技主体収納室９５に格納される方形板状の中央に、前後方向に貫通する丸形開口部１１４と、丸形開口部１１４の左側部に前側開放縦溝形状の発射通路１１５とを備える。発射通路１１５の左側面と当該左側面から右側に弧状に延長する丸形開口部１１４の上部弧状側面とには、ステンレスのような金属帯板状の外バンド１１６が、一連に付設される。
【００１２】
発射通路１１５の右側面および当該右側面から右側に弧状に延長する丸形開口部１１４の下部弧状側面は、発射通路１１５の縦形の底部と丸形開口部１１４より前方に突出する内バンド１１７を形成する。内バンド１１７における下部弧状側面の最下部には、アウト口１１８を囲むとともに球を遊技盤１１０の前側から裏側に排出するハートと呼ばれるアウト口部１１９が、内バンド１１７から内側に突出した格好に連接される。内バンド１１７およびアウト口部１１９は、周辺飾り構造体１１１と一緒に合成樹脂により形成される。よって、発射通路１１５以外における外バンド１１６と内バンド１１７とが、遊技領域１１２を囲む丸形開口部１１４である。アウト口部１１９は、遊技領域１１２の最下部に配置される。発射通路１１５は、発射機構１０３から発射された球を遊技領域１１２に案内する通路である。
【００１３】
発射機構１０３から発射された球を発射通路１１５から遊技領域１１２に放出する発射通路１１５の出口には、戻り球防止弁１２０が、設けられる。戻り球防止弁１２０の取付部は、内バンド１１７の端部に沿うように、周辺飾り構造体１１１に取り付けられる。戻り球防止弁１２０は、外バンド１１６や内バンド１１７よりも厚さの薄い薄帯板状のステンレスまたは合成樹脂により形成される板ばねである。戻り球防止弁１２０が、周辺飾り構造体１１１に取り付けられた場合、戻り球防止弁１２０は、取付部の存在する基部から外バンド１１６の側に位置する先端部に行くにしたがって、発射通路１１５の出口から遊技領域１１２の側に徐々に傾斜する格好になる。戻り球防止弁１２０の先端は、外バンド１１６の遊技領域１１２の側に位置する内側面に接触するかまたは接触する程度に近づいていればよい。この接触する程度は、戻り球防止弁１２０の先端と外バンド１１６の内側面との間に１個の球の直径よりも小さい隙間が存在し、遊技領域１１２から外バンド１１６の内側面に沿って発射通路１１５の側に逆行する球が、上記戻り球防止弁１２０の先端と外バンド１１６の内側面との間に引っかかることもなく通過することもない範囲であればよい。
【００１４】
そして、発射機構１０３から発射された球が、発射通路１１５から戻り球防止弁１２０を押し開けることによって、戻り球防止弁１２０の先端部が、外バンド１１６から離れるように、戻り球防止弁１２０の取付部を基準として、戻り球防止弁１２０が、全体的に遊技領域１１２の側に弾性変形する。そして、戻り球防止弁１２０を押し開けた球が、戻り球防止弁１２０から遊技領域１１２の側に離れることによって、戻り球防止弁１２０の先端部が、外バンド１１６に近づくように、戻り球防止弁１２０が、全体的に図２に示す形態に復元する。このように戻り球防止弁１２０が、復元した形態において、発射通路１１５から遊技領域１１２に発射された球が、遊技領域１１２から発射通路１１５の側に逆行してきた場合、当該球が、戻り球防止弁１２０に衝突し、戻り球防止弁１２０が、当該球を遊技領域１１２から発射通路１１５に取り込まれることを防止して遊技領域１１２に跳ね返す。
【００１５】
周辺飾り構造体１１１の下縁部には、不正防止バンド１２２が、直線的に取り付けられる。不正防止バンド１２２は、弾性の有る合成樹脂で形成されたものであって、パネル枠８１が、閉じられることによって、不正防止バンド１２２が前面パネル８４の裏面（遊技盤１１０の側に位置する面）に接触し、遊技者が、ピアノ線や合成樹脂製薄帯板などの不正操作部材を遊技領域１１２よりも下方の図２に示す遊技機枠７１の前側から遊技機枠７１の前面構成部品間の隙間を経由して遊技領域１１２に挿入しようとした場合、パネルの内側面に接触した不正防止バンド１２２が、不正操作部材を受け止めて不正操作部材の遊技領域１１２への侵入を防止する。
【００１６】
周辺飾り構造体１１１の右側の上下部には、遊技盤１１０を遊技機枠７１に固定するための取付部１２３が、設けられる。取付部１２３は、遊技主体収納室９５に設けられた遊技主体ロック部材９９と係合するロック挿入孔１２４を備える。周辺飾り構造体１１１の右側の下部には、証紙台１２６が、前後方向に開閉可能に設けられる。証紙台１２６が、周辺飾り構造体１１１との連結部である図外のヒンジを開閉中心として前方に開かれることによって、下部の取付部１２３が、右周辺飾り構造体１１１の前側から見える格好となる。そして、証紙台１２６が、上記ヒンジを開閉中心として後方に閉じられ、証紙台１２６が、証紙台受部１２７で受け止められることによって、取付部１２３が、証紙台１２６で覆われて周辺飾り構造体１１１の前側から見えなくなる。閉じられた証紙台１２６の前面には、遊技盤１１０が、図外の組合の検査に合格して販売の認可を受けたことを示すための証紙が、貼り付けられる。
【００１７】
遊技領域１１２を形成する光透過性合成樹脂からなる板状構造体１１３には、センター飾り１３１、一般入賞部品１３２、作動入賞部品１３３、始動入賞部品１３４、可変入賞部品１３５、遊技釘１３６などの遊技部品が、周辺飾り構造体１１１の発射通路１１５を除く丸形開口部１１４で囲まれた光透過性を有する遊技領域１１２に取り付けられる。一般入賞部品１３２は、球を遊技領域１１２から取り込み、当該取り込んだ球を遊技領域１１２の裏側に排出する、取込形である。一般入賞部品１３２の内部には、図外の一般入賞球検出器を備える。作動入賞部品１３３は、球を遊技領域１１２から取り込み、当該取り込んだ球を遊技領域１１２の裏側に取り込むことなく、遊技領域１１２に排出する、通過形である。作動入賞部品１３３の内部には、図外の作動入賞球検出器を備える。始動入賞部品１３４は、一対の羽根１３７の下部を開閉中心とし、一対の羽根１３７を図外の始動駆動源で左右方向に開閉する電動チューリップと呼ばれる構造である。始動入賞部品１３４は、球を遊技領域１１２から取り込み、当該取り込んだ球を遊技領域１１２の裏側に排出する、取込形である。
【００１８】
始動入賞部品１３４の左右一対の羽根１３７は、閉じた場合でも、球を受け入れ得る形態、受け入れない形態のいずれでも適用できる。始動入賞部品１３４の内部には、図外の始動入賞球検出器を備える。可変入賞部品１３５は、横長な長方形状の開閉体１３８の下部を開閉中心とし、開閉体１３８を図外の可変駆動源で前後方向に開閉するアタッカーまたは大入賞口と呼ばれる構造である。可変入賞部品１３５の開閉体１３８で閉じたり開かれたりする空洞形状の球受入部の内部には、カウントスイッチと呼ばれる図外の普通入賞球検出器と、Ｖスイッチと呼ばれる図外の特定入賞球検出器とを備える。可変入賞部品１３５の球受入部に取り込まれた球は、普通入賞球検出器または特定入賞球検出器を通過した後に遊技盤１１０の裏側に排出される。よって、可変入賞部品１３５は、取込形である
【００１９】
図３を参照し、可動枠７５の裏側の構造について説明する。可動枠７５の裏部、具体的には、遊技主体収納構造体７８の裏面の上部には、タンク１０８と中継樋１４１と払出機構１０７とが、左右に並べられて取り付けられる。タンク１０８は、遊技設置構造体の補給系統から供給された球を貯蔵し、貯蔵した球を払出機構１０７の球払出動作に伴い中継樋１４１から払出機構１０７に供給する部品である。遊技主体収納構造体７８の裏面におけるヒンジ７６の側に位置する側部には、払出機構１０７から払い出された球を下方に誘導する縦樋１４２と、縦樋１４２を流下した球を縦方向から遊技主体収納構造体７８の中央側の横方向に向けて誘導する満タン検出装置１４３とが、取り付けられる。満タン検出装置１４３の出口は、前横樋１０６に接続される。そして、タンク１０８と中継樋１４１および払出機構１０７に球が、供給されている状態において、払出機構１０７に内蔵されたスプロケットのような払出体１４４が、図外の払出駆動源であるモータで駆動されると、払出機構１０７が、賞球または貸球としての球を払い出し、この払出機構１０７から払い出された球は、縦樋１４２と満タン検出装置１４３および前横樋１０６を経由して図２に示す球皿構造体８２の球収納部９０に払い出される。
【００２０】
中央開口部９６の周囲には、映写装置取付部７９を備える。３個の映写装置取付部７９は、遊技主体収納室９５の後壁から裏側に突出する台座の中心にロック操作体８０を回転可能に備える。ロック操作体８０は、台座から裏側に突出した操作軸の端部に固定された横長な形態である。１個の映写装置取付部７９は、遊技主体収納室９５の後壁から裏側に突出する支柱の中心にねじ取付孔８５を備える。遊技主体棚１０１の裏面には、導電性合成樹脂からなる通路形成補助体１６０を備える。通路形成補助体１６０は、通路前壁１６１の上縁から前側に突出した突片１６２を備え、通路前壁１６１の下縁から裏側に突出する底壁１６３を備え、通路前壁１６１の左端部および底壁１６３の左端部から裏側に突出した延設部に球排出部１６４を備える。球排出部１６４は、上下方向に貫通する球排出孔１６５を備える。底壁１６３は底壁１６３の上に載った球を球排出部１６４に向けて流す片流れの傾斜を有する。そして、通路形成補助体１６０の突片１６２が、遊技主体棚１０１の切欠部に嵌め込まれ、通路形成補助体１６０の通路前壁１６１の前面が、遊技主体棚１０１の裏面に接触し、通路形成補助体１６０の底部が、前横樋１０６における遊技主体棚１０１より下方の前壁１０９から裏側に突出した球受取部１６６の上に搭載され、通路形成補助体１６０における球排出部１６４の前面が球受取部１６６の裏面から裏側に突出した突起１６７に受け止められた状態において、通路形成補助体１６０が遊技主体棚１０１の裏面に取り付けられる。このように通路形成補助体１６０が遊技機枠７１に取り付けられることによって、通路形成補助体１６０の球排出部１６４が、球受取部１６６よりも後側に配置される。球受取部１６６における通路形成補助体１６０の搭載される上壁には、上下方向に貫通する電気継手挿入孔１６８を備える。電気継手挿入孔１６８の後縁部は、球受取部１６６の後壁１８３の前面と同一面内に位置する。
【００２１】
可動枠７５の裏部には、払出機構１０７を電気的に制御する払出制御装置１５１を備える。払出制御装置１５１は、電気部品の実装された払出制御回路基板の内蔵された制御装置筐体の一側部から前側に突出した取付足１５２を備え、制御装置筐体の遊技機枠７１の方向に位置する前面に中継樋１５３を備える。中継樋１５３は、内部に、上下方向に貫通する中継通路１５４を備える。そして、取付足１５２が、ヒンジ７６の側で、発射制御装置１５５の側方に対向する位置で、遊技主体収納構造体７８の裏面に、取り付けられることによって、払出制御装置１５１の制御装置筐体が、遊技主体収納構造体７８の裏面の発射制御装置１５５や満タン検出装置１４３および通路形成補助体１６０の球排出部１６４を裏側から覆い、球排出部１６４の球排出孔１６５と中継樋１５３の中継通路１５４とが互いに上下方向に連接される。
【００２２】
図４を参照し、可動枠７５における前横樋１０６の構造について説明する。前横樋１０６は、枠側樋１７１、蓋樋１７２、縦金属板１７３、横金属板１７４、電気継手１７５を備える。枠側樋１７１は、遊技主体収納構造体７８が遊技主体収納室９５と中央開口部９６と遊技主体受部９８と遊技主体棚１０１と切欠部１０２および前壁１０９を有する形状に型成形を用いて形成される場合において、遊技主体収納構造体７８に遊技主体収納構造体７８と一緒に形成される。つまり、枠側樋１７１および遊技主体収納構造体７８は単一物として形成され、枠側樋１７１が遊技主体収納構造体７８の一部分を構成するものである。枠側樋１７１は、可動枠７５の前壁１０９から裏側に突出し、前方に開口された横長な形状である。枠側樋１７１の底壁１７６は、球受取部１６６の左側壁に形成された開口１７７から取り込んだ球を右側に流下する斜面になっている。底壁１７６における球受取部１６６の部分の上面である底面１７８は、球受取部１６６の部分以外の底壁１７６の上面である底面１７９よりも、下方に一段下がっている。底面１７８の底面１７９より一段下がる寸法は、横金属板１７４の板厚よりは小さい。開口１７７は、ファール球取入口部１０５から排出された球や図３に示す満タン検出装置１４３から排出された球を枠側樋１７１に取り込むためのものである。枠側樋１７１の遊技主体棚１０１との境界を形成する隔壁１８０の前面には、複数の蓋突起挿入孔１８１を横に並んだ形態に備える。隔壁１８０の前面部および前壁１０９には、ねじ取付孔１８２を備える。枠側樋１７１の底壁１７６と隔壁１８０とを接続する後壁１８３には、縦金属取付孔１８４と縦金属位置決め孔１８５および横金属突起挿入孔１８６を、球受取部１６６の位置に、備える。
【００２３】
蓋樋１７２は、無色な光透過性の有る合成樹脂からなる裏側に開口された横長であるものの、枠側樋１７１よりも横幅の小さい形状である。蓋樋１７２は、縦方向の前面部１８７、前面部１８７の上縁から裏側に突出する上面部１８８、上面部１８８の後縁から上方に突出するフランジ部１８９、フランジ部１８９の上縁から裏側に突出する複数の蓋突起１９０、前面部１８７の下縁から裏側に突出する底面部１９１、底面部１９１から下方に突出する取付足１９２、前面部１８７の左縁から裏側に突出する左側壁１９３、前面部１８７に形成された複数の突起受孔１９４を備える。左側壁１９３は、上面部１８８および底面部１９１に連接される。フランジ部１８９および取付足１９２には、前後方向に貫通するねじ挿入孔１９５を備える。
【００２４】
縦金属板１７３は、前後方向に屈曲し、左側から右側に行くにしたがって徐々に高さが高くなる、球受取部１６６の後壁１８３と同形である。縦金属板１７３の高さは後壁１８３の高さよりも小さい。縦金属板１７３は、左側に係合部１９６を備え、上部に複数のねじ挿入孔１９７と位置決め突起１９８とを備える。係合部１９６は、縦金属板１７３の左側部と、縦金属板１７３の左側部から裏側に折り曲げられた側片と、この側片の後部から右側に折り曲げられた後片とからなる、上下方向および右側に開放した溝形状である。複数のねじ挿入孔１９７は、前後方向に貫通する。位置決め突起１９８は、縦金属板１７３の前面から裏側に押し出し形成されて、縦金属板１７３の裏面から裏側に突出する。横金属板１７４は、平坦で、左側から右側に行くにしたがって徐々に前後幅が小さくなる、球受取部１６６の底面１７８と同形である。横金属板１７４の前縁部は、左右方向に直線的に延びる形状である。横金属板１７４の後縁部は、左部および右部が前縁部と平行な直線であって、中間部が左側から右側に行くにしたがって前側に傾斜する形状である。横金属板１７４の前縁部と後縁部の左右部とには、複数の横金属突起１９９；２００を個別に備える。横金属突起１９９は、横金属板１７４の左縁部が球受取部１６６の開口１７７の形成された左側壁に沿って直線的に球受取部１６６の前側開口から内部に挿入される方向と平行する方向で、横金属板１７４の前縁部から前側に直線的に突出する。横金属突起２００は、横金属板１７４の左縁部が球受取部１６６の開口１７７の形成された左側壁に沿って直線的に球受取部１６６の前側開口から内部に挿入される方向と平行する方向で、横金属板１７４の後縁部の左右部から裏側に直線的に突出する。これによって、横金属板１７４が球受取部１６６に装着される場合において、横金属板１７４の左縁部が球受取部１６６の開口１７７の形成された左側壁に沿って直線的に球受取部１６６の前側開口から内部に挿入されるのに伴い、横金属突起２００が横金属突起挿入孔１８６に挿入されるので、横金属板１７４が球受取部１６６の底面１７８に容易かつ適切に配置される。
【００２５】
図５にも示すように、電気継手１７５は、金属板からなる、前片２０１と後片２０２とを上片２０３で連接した左右および下方に開放する溝形状である。前片２０１および後片２０２は、球受取部１６６における後壁１８３の板厚分だけ前後に離れて相対峙する。前片２０１の横幅は、電機継手挿入孔１６８の後縁部の横幅よりも小さい。前片２０１には、接触子２０４が、上部を前片２０１に連接し、上方から下方に行くにしたがって徐々に前側に突出した、片持ち梁の形態で、前片２０１から切り起こして、形成される。前片２０１は、接触子２０４を形成した残渣孔２０５を有する。後片２０２の上片２０３からの高さは、前片２０１の上片２０３からの高さよりも短い。後片２０２には、接触子２０６が、上片２０３との連接部に連接し、前側から裏側に行くにしたがって徐々に上片２０３よりも上方に突出した、片持ち梁の形態で、後片２０２から切り起こして、形成される。後片２０２は、接触子２０６を形成した残渣孔２０７を有する。後片２０２の下縁部は、上方より下方に行くにしたがって徐々に裏側に傾斜する案内部２０８になっている。案内部２０８は、電気継手１７５が球受取部１６６に取り付けられやすくするためのものである。
【００２６】
図４に戻り、前横樋１０６の組み立て方について説明する。可動枠７５の裏側において、電気継手１７５の前片２０１が球受取部１６６の上方から電気継手挿入孔１６８に挿入されることによって、前片２０１の後面が球受取部１６６の後壁１８３の前面と接触し、電気継手１７５の後片２０２が案内部２０８によって球受取部１６６の後壁１８３の裏面に誘導され、後片２０２の前面が球受取部１６６の後壁１８３の裏面と接触し、電気継手１７５の上片２０３が球受取部１６６の上面に接触し、電気継手１７５が後壁１８３を前後方向から挟む格好で球受取部１６６に取り付けられる。次に、可動枠７５の前側において、縦金属板１７３の係合部１９６が、球受取部１６６の前側開口から内部を経由して開口１７７に挿入され、球受取部１６６の左側外側に突出される。そして、縦金属板１７３が後壁１８３に近づけられて右側に移動されることによって、係合部１９６が開口１７７の周りにおける後壁１８３を前後方向から挟みつつ後壁１８３の左端部に突き当てられる。さらに、縦金属板１７３が後壁１８３の方に移動されるのに伴い、縦金属板１７３の裏面が電気継手１７５の接触子２０４の前面と接触し、位置決め突起１９８が縦金属位置決め孔１８５に挿入され、タッピングスクリューのような止ねじ２１０が縦金属板１７３のねじ挿入孔１９７から球受取部１６６の縦金属取付孔１８４に締結される（図６参照）。これによって、縦金属板１７３の下縁部が球受取部１６６の底面１７８から上方に横金属板１７４の板厚以上の寸法だけ離れ、縦金属板１７３が球受取部１６６の後壁１８３の前面に取り付けられる。
【００２７】
また、可動枠７５の前側において、横金属板１７４の左縁部が球受取部１６６の開口１７７の形成された左側壁に接触され、横金属板１７４の下面が球受取部１６６の底面１７８の上に接触して搭載されるように、横金属板１７４の左縁部が上記球受取部１６６の開口１７７の形成された左側壁に沿って直線的に球受取部１６６の前側開口から内部に挿入されることによって、横金属板１７４における後縁部の横金属突起２００が球受取部１６６の横金属突起挿入孔１８６に挿入され、横金属板１７４の球の流れる上面が前横樋１０６の底面１７９よりも上方に位置する。横金属板１７４の球の流れる上面が前横樋１０６の底面１７９よりも上方に位置することによって、球が横金属板１７４から前横樋１０６の底面１７９に円滑に流れる。その後、蓋樋１７２の左側壁１９３が枠側樋１７１における開口１７７の形成された左側壁と前後方向で突き合わせられるように、蓋樋１７２の底面部１９１が枠側樋１７１の底壁１７６に下側から被せられる。
【００２８】
そして、蓋樋１７２の蓋突起１９０が枠側樋１７１の蓋突起挿入孔１８１に前側から挿入され、横金属板１７４の前縁部における球受取部１６６よりも前側に突出する横金属突起１９９が蓋樋１７２の突起受孔１９４に挿入され、タッピングスクリューのような止ねじ２１１が蓋樋１７２のねじ挿入孔１９５から枠側樋１７１のねじ取付孔１８２に締結される。これによって、蓋樋１７２が枠側樋１７１における前方開口の一部を前側から塞ぐように、可動枠７５に取り付けられる。蓋樋１７２が可動枠７５に取り付けられることによって、蓋樋１７２と枠側樋１７１とが前横樋１０６を形成し、前横樋１０６が内部に球と接触する縦金属板１７３と横金属板１７４とを備え、枠側樋１７１における蓋樋１７２の右側開口１８から右側に露出した部分が、前横樋１０６から排出される球を、図１に示す球皿構造体８２の球取入口９２に排出する球出口２１２となる。
【００２９】
このように前横樋１０６が形成された後、または、縦金属板１７３が球受取部１６６に取り付けられた後、または、電気継手１７５が球受取部１６６が取り付けられた後のいずれかの時点において、図３に示す通路形成補助体１６０の底部が前横樋１０６の球受取部１６６の上に搭載され、通路形成補助体１６０の底部の下面が電気継手１７５の接触子２０６の上面と接触し、通路形成補助体１６０が可動枠７５に図外の止ねじで取り付けられることによって、縦金属板１７３が電気継手１７５で導電性合成樹脂からなる通路形成補助体１６０に接続される。縦金属板１７３および横金属板１７４は互いに離れているが、それらの離れている寸法は、図１に示すように、横金属板１７４の上を流れる球Ｐ１が縦金属板１７３に沿って流れることによって、当該球Ｐ１が縦金属板１７３および横金属板１７４の双方に接触するように設定されている。また、図６に示すように、可動枠７５の裏部に取り付けられた払出機構１０７から払い出された球やファール球取入口部１０５から排出された球として、遊技機枠７１の内部から排出される球Ｐ３が、矢印Ｘで示すように、開口１７７から横金属板１７４の上を横金属板１７４の前縁部と平行に図１の球出口２１２の方向に流れることによって、縦金属板１７３の後側から前側に徐々に傾斜する斜面に接触するように、縦金属板１７３は枠側樋１７１に取り付けられている。
【００３０】
図７を参照し、図２の遊技機枠７１に取り付けられる映写装置１の前側の構造について説明する。映写装置１は、遮光性合成樹脂からなる前側に開放した箱形の装置筐体２に、投影機３、反射鏡４、スクリーン５を組み付けた、ユニットと呼ばれる単一構造体として形成される。装置筐体２のスクリーン５を支持する周壁１３には、装置取付部６が、周壁１３から左右外側に突出して設けられる。周壁１３の前面は、装置取付部６よりも前側に突出する。装置取付部６は、映写装置１を、遊技機枠７１の図１に示す可動枠７５の裏面に、取り付けるための部分である。３個の装置取付部６は、可動枠７５の図３に示す３個の映写装置取付部７９における台座に嵌め込まれる前側に開口した筒状の嵌合部に囲まれた横長なロック挿入孔１９を備える。１個の装置取付部６は、ねじ挿入孔２０を備える。投影機３は、投影機筐体の下部に投影光源７を内蔵し、投影機筐体の上下方向中間部に液晶表示器８を内蔵し、投影機筐体の上部に投影レンズ９を焦点調整可能に備え、投影機筐体の外側に、モータで駆動されるシロコタイプのブロワーファンのような空冷機１０と、液晶表示器８の投影機制御回路２１とを備える。空冷機１０は、投影機筐体の内部を空気で冷却する機器である。
【００３１】
そして、装置筐体２の前側から上内部に収納された反射鏡４が、装置筐体２における上方から下方に行くにしたがって徐々に前側から裏側に傾斜する前傾姿勢の裏壁に取り付けられる。これによって、反射鏡４が、装置筐体２の上内部に前傾姿勢で取り付けられる。また、投影機３の投影レンズ９が上方で、投影機３の投影光源７が下方となるように、投影機３が、装置筐体２の前側から下内部に収納されて装置筐体２に取り付けられる。投影機３が、装置筐体２に取り付けられた後、遮光性合成樹脂よりなる前被覆体１１が、投影機３の前側を被覆する格好で、装置筐体２の下前部にタッピングスクリューのような止ねじ１２で取り付けられる。その後、スクリーン５が、反射鏡４の取り付けられた部分における装置筐体２の前側開口を覆うように、装置筐体２の周壁１３の前面に、前側から重ね合わされて接触して搭載される。そして、左右のスクリーン支持体１４が、装置筐体２にタッピングスクリューのような止ねじ１５で取り付けられることによって、スクリーン５が、左右のスクリーン支持体１４で装置筐体２の前面に取り付けられる。これによって、スクリーン５が、周壁１３に支持される。
【００３２】
このように、投影機３、反射鏡４、スクリーン５が、装置筐体２に取り付けられた形態において、投影レンズ９の焦点調整が行われる。それには、投影機３の液晶表示器８に直流電源を供給してテスト画像を表示し、投影機３の投影光源７に交流電源を供給する。これによって、投影機３の投影光源７が、光を画像の表示されている液晶表示器８に照射し、その投影光が、投影機３の投影レンズ９で拡大され、その拡大された投影光が、反射鏡４で前側に反射してスクリーン５に上記液晶表示器８で表示されたテスト画像を拡大して映写する。その状態において、例えば、作業者が、手を、前被覆体１１の前側から前被覆体１１の作業開口部１６を経由して装置筐体２の内部に入れて、投影機３の投影レンズ９を回転操作し、上記スクリーン５に映し出されたテスト画像が、焦点の合わされた態様となるように、作業者が、焦点調整を行う。その後、遮光性合成樹脂よりなる蓋体１７が、作業開口部１６を閉鎖するように前被覆体１１に取り付けられる。これによって、箱形の装置筐体２に投影機３と反射鏡４とスクリーン５とを組み付けた単一構造体に形成された映写装置１が、図７に示す格好に構成される。前被覆体１１の蓋体１７よりも上方に立ち上がる前壁２２は、周壁１３の前面よりも裏側に位置する。そして、映写装置１が図２に示す遊技機枠７１に取り付けられた場合、前被覆体１１の前壁２２と遊技機枠７１の通路形成補助体１６０の底壁１６３とが、互いに直交する形態となり、前壁２２と通路形成補助体１６０とが、図１に示す遊技盤１１０の集合樋１３９から排出される球Ｐ２を捕捉して遊技機枠７１から遊技設置構造体の方向に排出する球通路１７０を形成する。
【００３３】
図８を参照し、映写装置１が可動枠７５に取り付けられる場合について説明する。可動枠７５は、裏面に、タンク１０８、中継樋１４１、払出機構１０７、満タン検出装置１４３、払出制御装置１５１、発射制御装置１５５、通路形成補助体１６０を備える。映写装置１は、裏面に、電源装置１４５、図外の投影機駆動回路、主制御装置１４８、複合制御装置１４９、図柄制御装置１５０を備える。そして、映写装置１の周壁１３が可動枠７５の裏側から中央開口部９６に収納され、映写装置１の装置取付部６のロック挿入孔１９が、可動枠７５の裏側から映写装置取付部７９のロック操作体８０に挿入され、ロック操作体８０が、ロック挿入孔１９から裏側に突出した状態において、作業者が、ロック操作体８０を例えば右方向に９０度回転操作することによって、ロック操作体８０が、ロック挿入孔１９の周りにおける装置取付部６と係合する。また、タッピングスクリューのような止ねじが、映写装置１のねじ挿入孔２０から可動枠７５のねじ取付孔８５に締結される。これによって、映写装置１が、可動枠７５に取り付けられる。
【００３４】
図９を参照し、遊技盤１１０が遊技機枠７１に取り付けられる場合について説明する。映写装置１が、可動枠７５に取り付けられた場合、映写装置１の周壁１３が、可動枠７５の裏側から中央開口部９６に収納されることによって、周壁１３の外側面と中央開口部９６の内側面とが、互いに接触し、映写装置１のスクリーン支持体１４とスクリーン５とが、中央開口部９６の内部に配置され、スクリーン支持体１４の前面が、遊技主体収納室９５の裏壁の前面と同一面内に位置されている。遊技盤１１０が、遊技機枠７１に取り付けられる場合、遊技盤１１０の遊技領域１１２が、前側に向けられ、遊技盤１１０が、遊技機枠７１の前側から遊技主体収納室９５に挿入され、遊技盤１１０の下部が、遊技主体棚１０１の上に載せられ、遊技盤１１０の左側部が、遊技主体受部９８と遊技主体押圧部９７とで前後方向から挟まれた後、遊技盤１１０の右側部が、後側に押され、遊技主体ロック部材９９のロック操作部１００が、取付部１２３のロック挿入孔１２４に後側から挿入されて前側に突出した状態において、作業者が、ロック操作部１００を例えば右方向に９０度回転操作すると、ロック操作部１００が、ロック挿入孔１２４の周りにおける取付部１２３と係合し、遊技盤１１０が、可動枠７５に取り付けられる。これによって、映写装置１のスクリーン５の前側に遊技盤１１０の無色の光透過性合成樹脂からなる板状構造体１１３および集合樋１３９が、非接触に配置される。遊技盤１１０の板状構造体１１３から前側に突出した図６に示すセンター飾り１３１と一般入賞部品１３２と作動入賞部品１３３と始動入賞部品１３４と可変入賞部品１３５および遊技釘１３６などの遊技部品が、スクリーン５の前側に配置され、遊技盤１１０の丸形開口部１１４が、スクリーン５の前側に対向して配置される。
【００３５】
そして、遊技盤１１０が、取り付けられた後、可動枠７５が、閉じられ、球皿構造体８２が、閉じられる。その後、図２に示す投影機３の液晶表示器８が、電気的に画像を表示し、投影機３の投影光源７が、電気的に光を画像の表示されている液晶表示器８に照射し、その投影光が、投影機３の投影レンズ９で拡大され、その拡大された投影光が、反射鏡４で前側に反射してスクリーン５の全域に上記液晶表示器８で表示された画像を拡大して映写し、遊技機枠７１の前側から遊技者が、スクリーン５に映し出された画像を閉じられたパネル枠８１の前面パネル８４と遊技盤１１０の丸形開口部１１４および光透過性合成樹脂からなる板状構造体１１３を通して見ることをできる。また、遊技者が、球皿構造体８２の球収納部９０に球を入れ、発射操作機構９１および電気系統が、電気的に起動した状態において、人が、発射操作機構９１を操作すると、発射機構１０３が、発射操作機構９１から出力された操作量に応じた発射力で例えば１分間に１から１００発未満までの所定数の間隔で駆動し、この発射機構１０３が、球収納部９０から発射レール１０４に供給された球を１個ずつ遊技盤１１０の発射通路１１５に向けて発射する。この発射通路１１５に発射された球が、発射通路１１５から戻り球防止弁１２０を押し開けて遊技領域１１２に到達した後に遊技領域１１２を流下する過程において、一般入賞部品１３２や始動入賞部品１３４あるいは可変入賞部品１３５に入賞すると、一般入賞部品１３２や始動入賞部品１３４あるいは可変入賞部品１３５に入賞した球が、遊技盤１１０の裏側に排出される一方、それぞれの入賞に対応する賞球としての球が、払出機構１０７から球収納部９０に払い出される。一般入賞部品１３２や始動入賞部品１３４あるいは可変入賞部品１３５に入賞しないで遊技領域１１２の最下部に流れた球は、アウト口１１８に取り込まれた遊技盤１１０の裏側に排出される。これによって、遊技者は、スクリーン５に映し出された画像を遊技領域１１２の全域に見ながら遊技領域１１２に行き交う球の動きを見ることができる。
【００３６】
実施形態の構造によれば、図１に示すように、遊技機枠７１の内部から遊技機枠７１の前側に設けられた球皿構造体８２に排出されるように球Ｐ１（球Ｐ１は、図６に示す球Ｐ３と同じ球である）を誘導するとともに当該球Ｐ１に帯電した静電気を除去する通路を形成する前横樋１０６が、枠側樋１７１と蓋樋１７２と縦金属板１７３と横金属板１７４とから構成された簡単な構造であるという利点がある。縦金属板１７３と横金属板１７４とが互いに個別に構成されて上記球Ｐ１に帯電した静電気を除去する部材を形成しているので、例えば、パチンコ店において、前横樋１０６の内部に侵入した異物を取り除くような保守を行う場合、店員が、蓋樋１７２および横金属板１７４を枠側樋１７１から前側に取り外して、異物を前横樋１０６の内部から取り除いた後、横金属板１７４の左縁部を球受取部１６６の開口１７７の形成された左側壁に沿って直線的に球受取部１６６の前側開口から内部に挿入し、蓋樋１７２を枠側樋１７１に前側から取り付ければよいので、前横樋１０６の内部の保守を容易に行うことができるという利点がある。
【００３７】
縦金属板１７３が枠側樋１７１に取り付けられる場合、図２に示す縦金属板１７３の係合部１９６が枠側樋１７１の前側から開口１７７を経由して後壁１８３を前後方向から挟みつつ後壁１８３の左端部に突き当てられることによって、縦金属板１７３の位置決め突起１９８が枠側樋１７１の縦金属位置決め孔１８５に挿入されることによって、縦金属板１７３のねじ挿入孔１９７と枠側樋１７１の縦金属取付孔１８４とが互いに位置が前後方向で同軸状に対向するので、止ねじ２１０で縦金属板１７３を枠側樋１７１に締結する作業が容易であるという利点がある。縦金属板１７３と横金属板１７４とが枠側樋１７１に取り付けられた場合、縦金属板１７３と横金属板１７４とが互いに離れているものの、それらの離れている寸法は、図１に示すように、横金属板１７４の上を流れる球Ｐ１が縦金属板１７３に沿って流れることによって、当該球Ｐ１が縦金属板１７３および横金属板１７４の双方に接触するように設定されているので、球Ｐ１に帯電した静電気は縦金属板１７３に移動するという利点がある。縦金属板１７３が電気継手１７５で導電性合成樹脂製の通路形成補助体１６０に接続されているので、上記球Ｐ１から縦金属板１７３に移動した静電気は、通路形成補助体１６０に移動するという利点がある。よって、通路形成補助体１６０が遊技設置構造体のアース端子に接続された図２に示す金属製のロック機構８８または金属製のロック機構９４の一方または両方に図外のアース線で接続されることによって、球Ｐ１に帯電した静電気は、縦金属板１７３から電気継手１７５と通路形成補助体１６０とアース線およびロック機構８８；９４を経由して大地に除去されるという利点がある。
【００３８】
通路形成補助体１６０が遊技主体棚１０１に取り付けられ、映写装置１が可動枠７５に取り付けられることによって、映写装置１の前壁２２と通路形成補助体１６０とが、遊技盤１１０の集合樋１３９の排出口１４０から排出される球Ｐ２を捕捉して遊技機枠７１から遊技設置構造の方向に排出する球通路１７０を形成するので、遊技機枠７１に球通路１７０に相当する前後壁と底壁とからなる溝形状の球通路を形成した構造に比べ、映写装置１の前壁２２の前壁２２が当該溝形状の球通路の後壁を構成し、当該溝形状の球通路の後壁を取り除くことができ、映写装置１のスクリーンが上記取り除いた溝形状の球通路の後壁の厚さだけ前側に配置される。よって、スクリーン５が遊技機枠７１の遊技主体収納室９５に格納された遊技盤１１０に近づいた配置となり、スクリーン５に映し出された画像が、遊技機枠７１の前側から、鮮明に見えるという利点がある。通路形成補助体１６０が導電性合成樹脂製であるので、遊技盤１１０の遊技領域１１２から裏側に排出された球の全部が、通路形成補助体１６０に接触する。よって、通路形成補助体１６０が、電気的に接地（アース）されることによって、通路形成補助体１６０に接触した球から静電気を除去することができるという利点がある。遊技盤１１０が、遊技機枠７１に取り付けられることによって、通路形成補助体１６０の突片１６２が、遊技盤１１０の裏面における集合樋１３９の排出口１４０の真下に配置されるので、遊技盤１１０の遊技領域１１２から裏側に排出された球の全部が、遊技機枠７１の遊技主体棚１０１に衝突することなく通路形成補助体１６０の突片１６２に衝突し、当該球の衝突で突片１６２が傷んだ場合、遊技主体棚１０１の有る遊技主体収納構造体７８を交換することなく、遊技主体収納構造体７８に比べ小形な通路形成補助体１６０を交換すればよいので、遊技機枠７１の保守のコストダウンを図ることができるという利点がある。
【産業上の利用可能性】
【００３９】
映写装置１をスクリーン５に相当する画面を有する液晶表示器で置換してもよい。遊技機枠７１の内部から遊技機枠７１の前側に設けられた球皿構造体８２に排出されるように球Ｐ１（球Ｐ１は、図６に示す球Ｐ３と同じ球である）を誘導するとともに当該球Ｐ１に帯電した静電気を除去する通路を形成する前横樋１０６は、光透過性の有る遊技領域１１２を備えた遊技盤１１０や映写装置１を用いないパチンコ機の遊技機枠７１にも適用できる。遊技機として球を遊技媒体として使用するスロットマシンにも適用することができる。
【図面の簡単な説明】
【００４０】
【図１】映写装置と遊技機枠と遊技盤との取付構造を示す縦断面図（一実施形態）。
【図２】遊技機枠および遊技盤を前側から示す斜視図（同実施形態）。
【図３】可動枠を裏側から示す分解斜視図（同実施形態）。
【図４】前横樋を前側から示す分解斜視図（同実施形態）。
【図５】電気継手を示す斜視図（同実施形態）。
【図６】前横樋の内部を示す横断面図（同実施形態）。
【図７】映写装置を前側から示す斜視図（同実施形態）。
【図８】映写装置と遊技機枠とを裏側から示す斜視図（同実施形態）。
【図９】映写装置、遊技機枠、遊技盤を前側から示す斜視図（同実施形態）。
【符号の説明】
【００４１】
７１  遊技機枠、７８  遊技主体収納構造体、９５  遊技主体収納室、
１０１  遊技主体棚、１０６  前横樋、１７１  枠側樋、１７２  蓋樋、
１７３  縦金属板、１７４  横金属板。
【図１】
2005245799.tif 000003
【図２】
2005245799.tif 000004
【図３】
2005245799.tif 000005
【図４】
2005245799.tif 000006
【図５】
2005245799.tif 000007
【図６】
2005245799.tif 000008
【図７】
2005245799.tif 000009
【図８】
2005245799.tif 000010
【図９】
2005245799.tif 000011